(57)【要約】      （修正有）【課題】作業者情報、搬送車両情報、依頼者情報、回収容器情報等を正確にサーバーに送信することによって、正確に廃棄機密情報媒体を回収することができるようにする多機能携帯電話機を提供する。【解決手段】多機能携帯電話機は、作業者氏名を含む作業者情報を記憶した作業者情報記憶ＩＣ、搬送車両ＩＤを含む搬送車両情報を含む搬送車両情報を記憶した搬送車両情報記憶ＩＣ、回収依頼者名を含む回収依頼者情報を記憶した回収依頼者情報ＩＣおよび機密情報媒体を収容した回収容器のＩＤを含む回収容器情報を記憶した回収容器情報記憶ＩＣに記憶された情報を読み取ることのできる多機能携帯電話機であって、所定の操作が行われたとき、記憶手段に作業者情報が記憶されているかを判定する第１判定手段と、前記記憶手段に搬送車両情報が記憶されているかを判定する第２判定手段とが設けられていることを特徴とする。【選択図】図２
2017182518.tif 000002
【特許請求の範囲】
【請求項１】
廃棄機密情報媒体回収システムに使用され、少なくとも作業者氏名を含む作業者情報を記憶した作業者情報記憶ＩＣ、少なくとも搬送車両ＩＤを含む搬送車両情報を含む搬送車両情報を記憶した搬送車両情報記憶ＩＣ、少なくとも回収依頼者名を含む回収依頼者情報を記憶した回収依頼者情報ＩＣおよび機密情報媒体を収容した回収容器のＩＤを少なくとも含む回収容器情報を記憶した回収容器情報記憶ＩＣに記憶された情報を読み取ることのできる多機能携帯電話機であって、ＣＰＵ、モニター、回収用アプリケーションを記憶した第１記憶手段、前記４つのＩＣに記憶された情報を読み取る読み取り手段、前記モニターに操作アイコンおよび前記読み取った情報を表示する表示手段、前記読み取った情報を記憶する第２記憶手段、ならびに記憶した情報をサーバーに送信する送信手段を有し、前記操作アイコンは、前記第１記憶手段に記憶されている前記回収用アプリケーションを起動する第１操作アイコン、前記読み取り手段を、前記作業者情報記憶ＩＣ中の作業者情報を読み取り可能状態とする第２操作アイコン、前記読み取り手段を、前記搬送車両情報記憶ＩＣ中の車両情報を読み取り可能状態とする第３操作アイコン、前記読み取り手段を、前記回収依頼者情報ＩＣ中の依頼者情報を読み取り可能状態とする第４操作アイコン、前記読み取り手段を、前記回収容器情報記憶ＩＣ中の回収容器情報を読み取り可能状態とする第５操作アイコン、および前記送信手段をして、前記第２記憶手段に記憶した各種情報を前記サーバーに送信させる第６操作アイコンを備え、前記第４操作アイコンが操作されたとき、前記第２記憶手段に作業者情報が記憶されているかを判定する第１判定手段と、前記第２記憶手段に搬送車両情報が記憶されているかを判定する第２判定手段とが設けられており、前記第１判定手段は、前記判定がＮＯのとき、前記モニターに作業者情報の読み取り、記憶を促す旨の表示を行い、前記第２判定手段は、前記判定がＮＯのとき、前記モニターに運搬車両情報の読み取り、記憶を促す旨の表示を行い、前記第１および第２判定手段の両判定がＹＥＳの時、前記読み取り手段をして、前記回収依頼者情報ＩＣの情報を読み取ることができるようになっていることを特徴とする多機能携帯電話機。
【請求項２】
前記回収容器情報が、さらに、容器の種別の情報を含んでいる請求項１の多機能携帯電話機。
【請求項３】
前記回収依頼者情報が、さらに、依頼者ＩＤおよび部署名を含んでいる請求項１または２の多機能携帯電話機。
【請求項４】
前記作業者情報が、さらに、作業者ＩＤを含んでいる請求項１〜３のいずれかの多機能携帯電話機。
【請求項５】
前記送信手段により、情報を前記サーバーに送信する際、その送信日時を提供するタイマーを備えている請求項１〜４のいずれかの多機能携帯電話機。
【請求項６】
少なくとも作業者氏名を含む作業者情報を記憶した作業者情報記憶ＩＣ、少なくとも搬送車両ＩＤを含む搬送車両情報を含む搬送車両情報を記憶した搬送車両情報記憶ＩＣ、少なくとも回収依頼者名を含む回収依頼者情報を記憶した回収依頼者情報ＩＣおよび機密情報媒体を収容した回収容器のＩＤを少なくとも含む回収容器情報を記憶した回収容器情報記憶ＩＣに記憶された情報を読み取ることのできる多機能携帯電話機およびサーバーを備えた廃棄機密情報媒体回収システムであって、前記多機能携帯電話機は、ＣＰＵ、モニター、回収用アプリケーションを記憶した第１記憶手段、前記４つのＩＣに記憶された情報を読み取る読み取り手段、前記モニターに操作アイコンおよび前記読み取った情報を表示する表示手段、前記読み取った情報を記憶する第２記憶手段、ならびに記憶した情報をサーバーに送信する送信手段を有し、前記操作アイコンは、前記第１記憶手段に記憶されている前記回収用アプリケーションを起動する第１操作アイコン、前記読み取り手段を、前記作業者情報記憶ＩＣ中の作業者情報を読み取り可能状態とする第２操作アイコン、前記読み取り手段を、前記搬送車両情報記憶ＩＣ中の車両情報を読み取り可能状態とする第３操作アイコン、前記読み取り手段を、前記回収依頼者情報ＩＣ中の依頼者情報を読み取り可能状態とする第４操作アイコン、前記読み取り手段を、前記回収容器情報記憶ＩＣ中の回収容器情報を読み取り可能状態とする第５操作アイコン、および前記送信手段をして、前記第２記憶手段に記憶した各種情報を前記サーバーに送信させる第６操作アイコンを備え、前記多機能携帯電話機はまた、前記第４操作アイコンが操作されたとき、前記第２記憶手段に作業者情報が記憶されているかを判定する第１判定手段と、前記第２記憶手段に搬送車両情報が記憶されているかを判定する第２判定手段とを備えており、前記第１判定手段は、前記判定がＮＯのとき、前記モニターに作業者情報の読み取り、記憶を促す旨の表示を行い、作業者は、この表示に従って、前記第２操作アイコンを操作して、前記読み取り手段をして作業者情報記憶ＩＣから作業者情報を読み取り、この読み取った作業者情報を前記第２記憶手段に記憶させ、前記第２判定手段は、前記判定がＮＯのとき、前記モニターに運搬車両情報の読み取り、記憶を促す旨の表示を行い、作業者は、この表示に従って、前記第３操作アイコンを操作して、前記読み取り手段をして運搬車両情報記憶ＩＣから運搬車両情報を読み取り、この読み取った運搬車両情報を前記第２記憶手段に記憶させ、前記第１および第２判定手段の両判定がＹＥＳの時、作業者は、第４操作アイコンを操作して、前記読み取り手段をして、前記回収依頼者情報ＩＣから回収依頼者情報を読み取り、この読み取った回収依頼者情報を前記第２記憶手段に記憶させ、次いで、第５操作アイコンを操作することにより、前記前記回収容器情報記憶ＩＣ中の回収容器情報を読み取り、この前記回収容器情報記憶ＩＣ中の回収容器情報を読み取り、この読み取った回収容器情報を前記第２記憶手段に記憶させ、前記回収用アプリケーションは、この回収容器情報の読み取り・記憶が完了すると、前記送信手段をして、前記搬送車両情報に紐付けて、作業者情報、回収依頼者情報および回収容器情報を前記サーバーに送信し、以上の作業は、作業者によって全ての回収容器が回収されるまで行われ、該サーバーは、これらの情報を受信して、記憶することを特徴とする廃棄機密情報媒体回収システム。
【請求項７】
少なくとも作業者氏名を含む作業者情報を記憶した作業者情報記憶ＩＣ、少なくとも搬送車両ＩＤを含む搬送車両情報を含む搬送車両情報を記憶した搬送車両情報記憶ＩＣ、少なくとも回収依頼者名を含む回収依頼者情報を記憶した回収依頼者情報ＩＣおよび機密情報媒体を収容した回収容器のＩＤを少なくとも含む回収容器情報を記憶した回収容器情報記憶ＩＣに記憶された情報を読み取ることのできる多機能携帯電話機およびサーバーを備えた廃棄機密情報媒体回収システムであって、前記多機能携帯電話機は、ＣＰＵ、モニター、回収用アプリケーションを記憶した第１記憶手段、前記４つのＩＣに記憶された情報を読み取る読み取り手段、前記モニターに操作アイコンおよび前記読み取った情報を表示する表示手段、前記読み取った情報を記憶する第２記憶手段、ならびに前記サーバーとの間で、情報の送受信を行う送受信手段を有し、前記操作アイコンは、前記第１記憶手段に記憶されている前記回収用アプリケーションを起動する第１操作アイコン、前記読み取り手段を、前記作業者情報記憶ＩＣ中の作業者情報を読み取り可能状態とする第２操作アイコン、前記読み取り手段を、前記搬送車両情報記憶ＩＣ中の搬送車両情報を読み取り可能状態とする第３操作アイコン、前記読み取り手段を、前記回収依頼者情報ＩＣ中の依頼者情報を読み取り可能状態とする第４操作アイコン、前記読み取り手段を、前記回収容器情報記憶ＩＣ中の回収容器情報を読み取り可能状態とする第５操作アイコン、読み取った情報を前記記憶手段に記憶させる第６操作アイコン、前記送受信手段をして、前記記憶した各種情報を前記サーバーに送信する第７操作アイコン、前記サーバーから情報を受信するための第８アイコンを備え、前記多機能携帯電話機はまた、前記第４操作アイコンが操作されたとき、前記記憶手段に作業者情報が記憶されているかを判定する第１判定手段と、前記記憶手段に搬送車両情報が記憶されているかを判定する第２判定手段を備えており、前記第１判定手段は、前記判定がＮＯのとき、前記モニターに作業者情報の読み取り、記憶を促す旨の表示を行い、作業者は、この表示に従って、前記第２操作アイコンを操作して、前記読み取り手段をして作業者情報記憶ＩＣから作業者情報を読み取り、この読み取った作業者情報を前記第２記憶手段に記憶させ、前記第２判定手段は、前記判定がＮＯのとき、前記モニターに運搬車両情報の読み取り、記憶を促す旨の表示を行い、作業者は、この表示に従って、前記第３操作アイコンを操作して、前記読み取り手段をして運搬車両情報記憶ＩＣから運搬車両情報を読み取り、この読み取った運搬車両情報を前記第２記憶手段に記憶させ、前記第１および第２判定手段の両判定がＹＥＳの時、作業者は、第４操作アイコンを操作して、前記読み取り手段をして、前記回収依頼者情報ＩＣから回収依頼者情報を読み取り、この読み取った回収依頼者情報を前記第２記憶手段に記憶させ、次いで、第５操作アイコンを操作することにより、前記前記回収容器情報記憶ＩＣ中の回収容器情報を読み取り、この前記回収容器情報記憶ＩＣ中の回収容器情報を読み取り、この読み取った回収容器情報を前記第２記憶手段に記憶させ、前記回収用アプリケーションは、この回収容器情報の読み取り・記憶が完了すると、前記送信手段をして、前記搬送車両情報に紐付けて、作業者情報、回収依頼者情報および回収容器情報を前記サーバーに送信し、以上の作業は、作業者によって全ての回収容器が回収されるまで行われ、該サーバーは、これらの情報を受信して、記憶するとともに、回収容器の数を、その種別ごとに総計して、これを記憶し、前記サーバーは、前記多機能携帯電話機の前記第８操作アイコンが作業者によって操作されたとき、前記回収容器の種別ごとの総計を作業者の多機能携帯電話機に送信するようになっていることを特徴とする廃棄機密情報媒体回収システム。
【請求項８】
前記回収依頼者情報が、さらに、依頼者ＩＤおよび部署名を含んでいる請求項６または７の廃棄機密情報媒体回収システム。
【請求項９】
前記作業者情報が、さらに、作業者ＩＤを含んでいる請求項６〜８のいずれかの廃棄機密情報媒体回収システム。
【請求項１０】
前記多機能携帯電話機は、各回収容器の回収容器情報ＩＣから回収容器情報を読み取ったとき、各回収日時を提供するタイマーを備えており、この回収日時は、前記読み取った回収容器情報とともに、前記第２記憶手段に記憶させられるようになっている請求項６〜９のいずれかの廃棄機密情報媒体回収システム。
【請求項１１】
同一回収依頼者における廃棄機密情報媒体回収作業に用いられる多機能携帯電話機が少なくとも２台である請求項６〜１０のいずれかの廃棄機密情報媒体回収システム。
【発明の詳細な説明】
【技術分野】
【０００１】
本発明は、多機能携帯電話機および廃棄機密情報媒体回収システムに関する。
【背景技術】
【０００２】
廃棄機密情報媒体回収システムに関する技術としては、特開２００７−２４９２８９号公報に開示されたものが知られている。
この公開公報に開示された機密情報媒体処分システムは、書類や電子媒体等の機密情報を含む機密情報媒体を収納する処分箱と、処分箱に収められ、個々の処分箱を特定する処分箱識別情報を記録し、処分箱の外部から認識可能な処分箱識別手段と、処分箱の処分を依頼する個々の処分依頼者を特定する処分依頼者識別情報を記録する処分依頼者識別手段と、処分箱を回収する個々の回収者を特定する回収者識別情報を記録する回収者識別手段と、各種の識別情報を読み取る識別情報読取手段と、識別情報読取手段と電気通信回線で接続され、識別情報読取手段で読み取った識別情報を管理する識別情報管理手段とを備え、機密情報媒体の回収、輸送、処分等の処置を管理することを特徴とする。
【０００３】
前記公開公報の記載では、該公報に記載された機密情報媒体処分システムによれば、機密情報媒体の回収、輸送、処分等の処置を、処分箱識別情報、処分依頼者識別情報、回収者識別情報を用いて管理することから、機密情報媒体の流れを正確に把握可能で、機密情報媒体の処分の確実を期すことができる、としている。
【０００４】
しかしながら、前記公報に記載された機密情報媒体処分システムにおいては、処分箱識別情報等を正しく読み取り、識別情報管理手段（サーバー）に正しく送信してあるかを、該識別情報管理手段に問い合わせなければならず、作業に手間が掛かるという問題があった。
【先行技術文献】
【特許文献】
【０００５】
【特許文献１】特開２００７−２４９２８９号公報
【発明の概要】
【発明が解決しようとする課題】
【０００６】
そこで、本発明は、サーバーに送信すべき必要な情報、すなわち作業者情報、搬送車両情報、依頼者情報、回収容器情報等を正確にサーバーに送信することによって、正確に廃棄機密情報媒体を回収することができるようにする多機能携帯電話機、およびこの多機能携帯電話機を用いた廃棄機密情報媒体回収システムを提供することを目的とするものである。
【課題を解決するための手段】
【０００７】
上記の課題は、下記（１）〜（１１）の構成の本発明の多機能携帯電話機および廃棄機密情報媒体回収システムによって解決される。
（１）
廃棄機密情報媒体回収システムに使用され、少なくとも作業者氏名を含む作業者情報を記憶した作業者情報記憶ＩＣ、少なくとも搬送車両ＩＤを含む搬送車両情報を含む搬送車両情報を記憶した搬送車両情報記憶ＩＣ、少なくとも回収依頼者名を含む回収依頼者情報を記憶した回収依頼者情報ＩＣおよび機密情報媒体を収容した回収容器のＩＤを少なくとも含む回収容器情報を記憶した回収容器情報記憶ＩＣに記憶された情報を読み取ることのできる多機能携帯電話機であって、ＣＰＵ、モニター、回収用アプリケーションを記憶した第１記憶手段、前記４つのＩＣに記憶された情報を読み取る読み取り手段、前記モニターに操作アイコンおよび前記読み取った情報を表示する表示手段、前記読み取った情報を記憶する第２記憶手段、ならびに記憶した情報をサーバーに送信する送信手段を有し、前記操作アイコンは、前記第１記憶手段に記憶されている前記回収用アプリケーションを起動する第１操作アイコン、前記読み取り手段を、前記作業者情報記憶ＩＣ中の作業者情報を読み取り可能状態とする第２操作アイコン、前記読み取り手段を、前記搬送車両情報記憶ＩＣ中の車両情報を読み取り可能状態とする第３操作アイコン、前記読み取り手段を、前記回収依頼者情報ＩＣ中の依頼者情報を読み取り可能状態とする第４操作アイコン、前記読み取り手段を、前記回収容器情報記憶ＩＣ中の回収容器情報を読み取り可能状態とする第５操作アイコン、および前記送信手段をして、前記第２記憶手段に記憶した各種情報を前記サーバーに送信させる第６操作アイコンを備え、前記第４操作アイコンが操作されたとき、前記第２記憶手段に作業者情報が記憶されているかを判定する第１判定手段と、前記第２記憶手段に搬送車両情報が記憶されているかを判定する第２判定手段とが設けられており、前記第１判定手段は、前記判定がＮＯのとき、前記モニターに作業者情報の読み取り、記憶を促す旨の表示を行い、前記第２判定手段は、前記判定がＮＯのとき、前記モニターに運搬車両情報の読み取り、記憶を促す旨の表示を行い、前記第１および第２判定手段の両判定がＹＥＳの時、前記読み取り手段をして、前記回収依頼者情報ＩＣの情報を読み取ることができるようになっていることを特徴とする多機能携帯電話機。
（２）
前記回収容器情報が、さらに、容器の種別の情報を含んでいる前記（１）の多機能携帯電話機。
（３）
前記回収依頼者情報が、さらに、依頼者ＩＤおよび部署名を含んでいる前記（１）または（２）の多機能携帯電話機。
（４）
前記作業者情報が、さらに、作業者ＩＤを含んでいる前記（１）〜（３）のいずれかの多機能携帯電話機。
（５）
前記送信手段により、情報を前記サーバーに送信する際、その送信日時を提供するタイマーを備えている前記（１）〜（４）のいずれかの多機能携帯電話機。
（６）
少なくとも作業者氏名を含む作業者情報を記憶した作業者情報記憶ＩＣ、少なくとも搬送車両ＩＤを含む搬送車両情報を含む搬送車両情報を記憶した搬送車両情報記憶ＩＣ、少なくとも回収依頼者名を含む回収依頼者情報を記憶した回収依頼者情報ＩＣおよび機密情報媒体を収容した回収容器のＩＤを少なくとも含む回収容器情報を記憶した回収容器情報記憶ＩＣに記憶された情報を読み取ることのできる多機能携帯電話機およびサーバーを備えた廃棄機密情報媒体回収システムであって、前記多機能携帯電話機は、ＣＰＵ、モニター、回収用アプリケーションを記憶した第１記憶手段、前記４つのＩＣに記憶された情報を読み取る読み取り手段、前記モニターに操作アイコンおよび前記読み取った情報を表示する表示手段、前記読み取った情報を記憶する第２記憶手段、ならびに記憶した情報をサーバーに送信する送信手段を有し、前記操作アイコンは、前記第１記憶手段に記憶されている前記回収用アプリケーションを起動する第１操作アイコン、前記読み取り手段を、前記作業者情報記憶ＩＣ中の作業者情報を読み取り可能状態とする第２操作アイコン、前記読み取り手段を、前記搬送車両情報記憶ＩＣ中の車両情報を読み取り可能状態とする第３操作アイコン、前記読み取り手段を、前記回収依頼者情報ＩＣ中の依頼者情報を読み取り可能状態とする第４操作アイコン、前記読み取り手段を、前記回収容器情報記憶ＩＣ中の回収容器情報を読み取り可能状態とする第５操作アイコン、および前記送信手段をして、前記第２記憶手段に記憶した各種情報を前記サーバーに送信させる第６操作アイコンを備え、前記多機能携帯電話機はまた、前記第４操作アイコンが操作されたとき、前記第２記憶手段に作業者情報が記憶されているかを判定する第１判定手段と、前記第２記憶手段に搬送車両情報が記憶されているかを判定する第２判定手段とを備えており、前記第１判定手段は、前記判定がＮＯのとき、前記モニターに作業者情報の読み取り、記憶を促す旨の表示を行い、作業者は、この表示に従って、前記第２操作アイコンを操作して、前記読み取り手段をして作業者情報記憶ＩＣから作業者情報を読み取り、この読み取った作業者情報を前記第２記憶手段に記憶させ、前記第２判定手段は、前記判定がＮＯのとき、前記モニターに運搬車両情報の読み取り、記憶を促す旨の表示を行い、作業者は、この表示に従って、前記第３操作アイコンを操作して、前記読み取り手段をして運搬車両情報記憶ＩＣから運搬車両情報を読み取り、この読み取った運搬車両情報を前記第２記憶手段に記憶させ、前記第１および第２判定手段の両判定がＹＥＳの時、作業者は、第４操作アイコンを操作して、前記読み取り手段をして、前記回収依頼者情報ＩＣから回収依頼者情報を読み取り、この読み取った回収依頼者情報を前記第２記憶手段に記憶させ、次いで、第５操作アイコンを操作することにより、前記前記回収容器情報記憶ＩＣ中の回収容器情報を読み取り、この前記回収容器情報記憶ＩＣ中の回収容器情報を読み取り、この読み取った回収容器情報を前記第２記憶手段に記憶させ、前記回収用アプリケーションは、この回収容器情報の読み取り・記憶が完了すると、前記送信手段をして、前記搬送車両情報に紐付けて、作業者情報、回収依頼者情報および回収容器情報を前記サーバーに送信し、以上の作業は、作業者によって全ての回収容器が回収されるまで行われ、該サーバーは、これらの情報を受信して、記憶することを特徴とする廃棄機密情報媒体回収システム。
（７）
少なくとも作業者氏名を含む作業者情報を記憶した作業者情報記憶ＩＣ、少なくとも搬送車両ＩＤを含む搬送車両情報を含む搬送車両情報を記憶した搬送車両情報記憶ＩＣ、少なくとも回収依頼者名を含む回収依頼者情報を記憶した回収依頼者情報ＩＣおよび機密情報媒体を収容した回収容器のＩＤを少なくとも含む回収容器情報を記憶した回収容器情報記憶ＩＣに記憶された情報を読み取ることのできる多機能携帯電話機およびサーバーを備えた廃棄機密情報媒体回収システムであって、前記多機能携帯電話機は、ＣＰＵ、モニター、回収用アプリケーションを記憶した第１記憶手段、前記４つのＩＣに記憶された情報を読み取る読み取り手段、前記モニターに操作アイコンおよび前記読み取った情報を表示する表示手段、前記読み取った情報を記憶する第２記憶手段、ならびに前記サーバーとの間で、情報の送受信を行う送受信手段を有し、前記操作アイコンは、前記第１記憶手段に記憶されている前記回収用アプリケーションを起動する第１操作アイコン、前記読み取り手段を、前記作業者情報記憶ＩＣ中の作業者情報を読み取り可能状態とする第２操作アイコン、前記読み取り手段を、前記搬送車両情報記憶ＩＣ中の搬送車両情報を読み取り可能状態とする第３操作アイコン、前記読み取り手段を、前記回収依頼者情報ＩＣ中の依頼者情報を読み取り可能状態とする第４操作アイコン、前記読み取り手段を、前記回収容器情報記憶ＩＣ中の回収容器情報を読み取り可能状態とする第５操作アイコン、読み取った情報を前記記憶手段に記憶させる第６操作アイコン、前記送受信手段をして、前記記憶した各種情報を前記サーバーに送信する第７操作アイコン、前記サーバーから情報を受信するための第８アイコンを備え、前記多機能携帯電話機はまた、前記第４操作アイコンが操作されたとき、前記記憶手段に作業者情報が記憶されているかを判定する第１判定手段と、前記記憶手段に搬送車両情報が記憶されているかを判定する第２判定手段を備えており、前記第１判定手段は、前記判定がＮＯのとき、前記モニターに作業者情報の読み取り、記憶を促す旨の表示を行い、作業者は、この表示に従って、前記第２操作アイコンを操作して、前記読み取り手段をして作業者情報記憶ＩＣから作業者情報を読み取り、この読み取った作業者情報を前記第２記憶手段に記憶させ、前記第２判定手段は、前記判定がＮＯのとき、前記モニターに運搬車両情報の読み取り、記憶を促す旨の表示を行い、作業者は、この表示に従って、前記第３操作アイコンを操作して、前記読み取り手段をして運搬車両情報記憶ＩＣから運搬車両情報を読み取り、この読み取った運搬車両情報を前記第２記憶手段に記憶させ、前記第１および第２判定手段の両判定がＹＥＳの時、作業者は、第４操作アイコンを操作して、前記読み取り手段をして、前記回収依頼者情報ＩＣから回収依頼者情報を読み取り、この読み取った回収依頼者情報を前記第２記憶手段に記憶させ、次いで、第５操作アイコンを操作することにより、前記前記回収容器情報記憶ＩＣ中の回収容器情報を読み取り、この前記回収容器情報記憶ＩＣ中の回収容器情報を読み取り、この読み取った回収容器情報を前記第２記憶手段に記憶させ、前記回収用アプリケーションは、この回収容器情報の読み取り・記憶が完了すると、前記送信手段をして、前記搬送車両情報に紐付けて、作業者情報、回収依頼者情報および回収容器情報を前記サーバーに送信し、以上の作業は、作業者によって全ての回収容器が回収されるまで行われ、該サーバーは、これらの情報を受信して、記憶するとともに、回収容器の数を、その種別ごとに総計して、これを記憶し、前記サーバーは、前記多機能携帯電話機の前記第８操作アイコンが作業者によって操作されたとき、前記回収容器の種別ごとの総計を作業者の多機能携帯電話機に送信するようになっていることを特徴とする廃棄機密情報媒体回収システム。
（８）
前記回収依頼者情報が、さらに、依頼者ＩＤおよび部署名を含んでいる前記（６）または（７）の廃棄機密情報媒体回収システム。
（９）
前記作業者情報が、さらに、作業者ＩＤを含んでいる前記（６）〜（８）のいずれかの廃棄機密情報媒体回収システム。
（１０）
前記多機能携帯電話機は、各回収容器の回収容器情報ＩＣから回収容器情報を読み取ったとき、各回収日時を提供するタイマーを備えており、この回収日時は、前記読み取った回収容器情報とともに、前記第２記憶手段に記憶させられるようになっている前記（６）〜（９）のいずれかの廃棄機密情報媒体回収システム。
（１１）
同一回収依頼者における廃棄機密情報媒体回収作業に用いられる多機能携帯電話機が少なくとも２台である前記（６）〜（１０）のいずれかの廃棄機密情報媒体回収システム。
【発明の効果】
【０００８】
本発明の多機能携帯電話機においては、読み込むべき情報を、順次確認しながら次の情報を読み込んで行くので、情報の読み込みの漏れがなく、必須の情報を正確にサーバーに送信することができる。
したがって、本発明の廃棄機密情報媒体回収システムにおいては、正確に廃棄機密情報媒体の回収を行うことができ、またこのサーバーに送信された情報に基づき、廃棄機密情報媒体のその後の作業、すなわち搬送作業、処理作業を正確に行うことができる。
【図面の簡単な説明】
【０００９】
【図１】本発明の廃棄機密情報媒体回収システムが使用される廃棄機密情報媒体リサイクルシステムの手順を概略的に示したすブロック図である。
【図２】本発明の実施形態による多機能携帯電話機の構造を示すブロック図である。
【図３】本発明の実施形態による廃棄機密情報媒体回収システムの実行フローチャートである。
【図４】回収容器の回収を一人の作業者が行った場合のサーバーに記憶された回収情報を表す表である。
【図５】回収容器の回収を二人の作業者が行った場合のサーバーに記憶された回収情報を表す表である。
【発明を実施するための形態】
【００１０】
以下、添付図面を参照しつつ、本発明の実施形態による多機能携帯電話機および廃棄機密情報媒体回収システムについて説明する。
図１は、本発明の廃棄機密情報媒体回収システムが使用される廃棄機密情報媒体リサイクルシステムの手順を概略的に示したすブロック図であり、回収Ｒ、積み込みＬ、運搬Ｃおよび処理Ｔからなっている。
なお、本明細書において、機密情報媒体とは、機密文章、図面、映像等が記録・記憶された文書、CD、DVD等をいうものとする。
【００１１】
本明細書において、前記回収Ｒ、積み込みＬ、運搬Ｃおよび処理Ｔは、以下をいう。
回収Ｒは、廃棄機密情報媒体が収容された回収袋または回収段ボール箱、その他の容器（以下、これらの容器を総称して、「回収容器」という）を依頼先から回収し、それを運搬車両まで台車等により運ぶところまでをいう。
積み込みＬは、運搬車両まで運ばれてきた回収容器を運搬車両に積み込むところまでをいう。
運搬Ｃは、回収先から処理（リサイクルを含む場合有り）を行う処理工場までの運搬までをいう。
処理Ｔは、処理工場での荷下ろし、荷下ろしされた回収容器から取り出された廃棄機密情報媒体を処理装置まで運び、そこで破砕し、情報媒体に記録された情報を滅却する（リサイクルを行う場合もある）等の処理を行う。
【００１２】
次に、本発明の実施形態による多機能携帯電話機１０の構造について図２を参照しつつ説明する。
前記多機能携帯電話機１０は、中央演算回路１２、タッチパネル等である入力手段１４、多機能携帯電話機の携帯電話番号、携帯メールアドレス、携帯電話機ＩＤ（多機能携帯電話機ナンバー、例えば、「１、２・・・・」等を記憶した主メモリ１６、回収手順等のアプリケーションソフトを記憶したアプリケーション用記憶手段１８、作業者の氏名等の情報を記憶する情報記憶手段２０（なお、この記憶手段の一部は、前記中央演算回路１２に含まれる一時記憶手段で代行される）、信号（情報）の送受信を行う送受信手段２２、モニター２４、日時を刻むタイマー２６、ＩＣタグが記憶した各種情報を読み取るＩＣ情報読み取り手段２８を備えている。なお、前記送受信手段２２は、送信手段と受信手段が別個に構成されていても良い。そして、前記モニター２４は、タッチパネルとなっていて、入力手段の機能をも果たす。
【００１３】
多機能携帯電話機１０の送受信手段２２は、インターネット等を介して、廃棄機密情報媒体の回収の情報管理を行うサーバーＳに接続されている。多機能携帯電話機１０は、同様にして、回収業者の事務所等に備え付けられたパソコン等（図示せず）に接続されていることが好ましい。
【００１４】
前記ＩＣ情報読み取り手段２８は、少なくとも次の情報を記憶したＩＣタグを読み取る。
・作業者情報記憶ＩＣタグ３０
作業者情報記憶ＩＣタグ３０は、各作業者が保持または回収業者の事務所に備え付けられており、各作業者の名前が記憶されている。作業者ＩＤ等が記憶されていてもよい。
作業者としては、回収作業者と積み込み作業者を兼ねた１人の作業者、回収作業者複数人と積み込み作業者１人、回収作業者１人と積み込み作業者複数人、積み込み作業者と積み込み作業者が共に複数人の場合が考えられる。
【００１５】
・運搬車両情報記憶ＩＣタグ３２
運搬車両情報記憶ＩＣタグ３２には、車両ＩＤが記憶されている。
この車両ＩＤは、「９０−０」、「９０−１」、「９９−９」等の番号である。
この運搬車両情報記憶ＩＣタグは、通常、各作業者が保持または回収業者の事務所に備え付けられている。
【００１６】
・回収依頼者情報ＩＣタグ３４
回収依頼者情報ＩＣには、回収依頼者ＩＤ、回収依頼者名、部署名等が記憶されている。この回収依頼者情報ＩＣタグ３４は、通常、回収依頼者のもとに保管されるが、各回収作業者が回収業者の事務所から持参してもよい。
回収容器としては、廃棄機密情報媒体が収容されている回収袋、回収段ボール箱、その他の容器が挙げられる。なお、回収袋は、通常、鍵の掛かる回収ボックスに収容されている。
・回収袋情報記憶ＩＣタグ３６
回収袋情報記憶ＩＣタグ３６には、タグナンバー、容器の種別（回収袋情報記憶ＩＣタグ３６には、容器が回収袋を示すコードである数字が記憶されている）が記憶されている。この回収袋情報記憶ＩＣタグ３６に記憶されている情報は、例えば、「４００００１」という数字である。この数字「４００００１」の意味するところは、数字の頭の「４」が回収袋であることを意味し、その後の「００００１」がタグナンバー（回収袋のナンバー）を意味する。
・回収段ボール箱情報記憶ＩＣタグ３８
回収段ボール箱情報記憶ＩＣタグ３８には、タグナンバー、容器の種別（回収袋情報記憶ＩＣタグ３６には、容器が回収袋を示すコードである数字が記憶されている）が記憶されている。回収段ボール箱情報記憶ＩＣタグ３８に記憶されている情報は、例えば、「５００００１」という数字である。この数字「５００００１」の意味するところは、数字の頭の「５」が回収段ボール箱であることを意味し、その後の「００００１」がタグナンバー（回収段ボール箱のナンバー）を意味する。
・回収その他容器情報記憶ＩＣタグ４０
回収その他容器情報記憶ＩＣタグ４０には、タグナンバー、容器の種別（回収袋情報記憶ＩＣタグ３６には、容器が回収その他容器を示すコードである数字が記憶されている）が記憶されている。回収その他容器情報記憶ＩＣタグ４０に記憶されている情報は、例えば、「７００００１」という数字である。この数字「７００００１」の意味するところは、数字の頭の「７」が回収その他容器であることを意味し、その後の「００００１」がタグナンバー（回収その他容器のナンバー）を意味する。
以上の多機能携帯電話機１０、サーバーＳ、各種ＩＣタグ、および多機能携帯電話機１０とサーバーＳとの間で、情報の通信を行うインターネットで、本廃棄機密情報媒体回収システムは構成されている。
【００１７】
前記多機能携帯電話機１０のモニター２４には、複数の操作アイコンが表示されるようになっている。
操作アイコンは、回収アプリケーションを起動させるための起動アイコンを備えている。操作アイコンは、また、前記ＩＣ情報読み取り手段２８を、前記作業者情報記憶ＩＣ３０中の作業者情報を読み取り可能状態とする第１操作アイコン、前記ＩＣ情報読み取り手段２８を、前記搬送車両情報記憶ＩＣ３２中の搬送車両情報を読み取り可能状態とする第２操作アイコン、前記ＩＣ情報読み取り手段２８を、前記回収依頼者情報ＩＣ３４中の依頼者情報を読み取り可能状態とする第３操作アイコン、前記ＩＣ情報読み取り手段２８を、前記回収容器情報記憶ＩＣ（３６、３８、４０）中の回収容器情報を読み取り可能状態とする第４操作アイコン、読み取った情報を前記記憶手段２０に記憶させる第５操作アイコン、前記送信手段２２をして、前記記憶手段２０に記憶した情報を前記サーバー５に送信させる第６操作アイコン、前記サーバー５から情報を受信するための第７アイコンを備えている。
【００１８】
次に、以上説明した多機能携帯電話機１０を使用した本発明の実施形態による廃棄機密情報媒体回収システムにおける作業について、図３のフローチャートを用いて説明する。
【００１９】
以下、回収ボックス内に回収袋が収容され、回収現場のいずれかの場所あるいは回収ボックスに、回収依頼者情報ＩＣタグ３４が配置されている場合について説明する。
まず、ステップＳ１で、その日に廃棄機密情報媒体の回収を担当する作業者（氏名：〇〇）は、自身が保持する多機能携帯電話機（Ｎｏ．１）のＩＣ情報読み取り手段２８によって、自身の作業者情報記憶ＩＣタグ３０から情報（作業者氏名：〇〇）を読み取って、多機能携帯電話機１０のナンバー「１」に紐付けて作業者名を情報記憶手段２０に登録する（ステップＳ２）。
【００２０】
次に、ステップＳ３で、作業者は、その日に廃棄機密情報媒の運搬に用いる運搬車両の運搬車両情報記憶ＩＣタグ３２から運搬車両のＩＤ（ＩＤ：９０−０）を読み取って、情報記憶手段２０に登録する（ステップ４）。
この状態で、作業者は、運搬車両で回収依頼者のところまで出向き、回収現場に到着する。
なお、作業者名および運搬車両のＩＤ（ＩＤ：９０−０）は、予め多機能携帯電話機１０（Ｎｏ．１）に登録されていてもよい。
【００２１】
次に、作業者は、回収現場に着くと、まず、多機能携帯電話機１０のモニター２４で回収依頼者の登録の指示（準備）を行う（ステップＳ５）。すると、多機能携帯電話機１０の中央処理回路１２は、まず、ステップＳ６で、前記情報記憶手段２０に作業者情報（氏名）が登録されているかを判定する。この判定がＮＯの時、ステップＳ１に戻って、作業者情報を読み取り、ついで、ステップＳ２で、作業者の登録を行う。この後、ステップＳ６の判定がＹＥＳになる（最初からＹＥＳの場合も）と、今度は、ステップＳ７で前記情報記憶手段２０に運搬車両情報（ＩＤ）が登録されているかを判定する。この判定がＮＯの場合には、ステップＳ３に戻って、運搬車両を読み取り、次いで、ステップＳ４でその登録を行う。
【００２２】
この後、ステップＳ７の判定がＹＥＳになる（最初からＹＥＳの場合も）と、多機能携帯電話機１０のモニター２４は、回収依頼者情報の登録の画面となる。
この画面において、作業者は、ステップＳ８で回収依頼者情報ＩＣタグ３４から依頼者のＩＤ（１００００１）および会社名（Ａ社）を読み取って、情報記憶手段２０に登録する（ステップＳ９）。
【００２３】
ついで、作業者が、回収ボックスから回収袋を取り出し、多機能携帯電話機１０のモニター２４で回収袋の登録の指示（準備）を行う（ステップＳ１０）。すると、多機能携帯電話機１０の中央処理回路１２は、前記情報記憶手段２０に回収依頼者情報（ＩＤ、会社名）が登録されているかを判定する（ステップＳ１１）。この判定がＮＯの時、ステップＳ８に戻って、回収依頼者の登録を行う。
【００２４】
この後、ステップＳ１１の判定がＹＥＳになる（最初からＹＥＳの場合も）と、多機能携帯電話機１０のモニター２４は、回収容器情報の登録の画面となる。
この画面において、作業者は、回収袋情報記憶ＩＣタグ３６から回収容器の種類（ここでは、回収袋）およびタグナンバー（ここでは、「１、２，・・・・、１０」を読み取取って（ステップＳ１２）、情報記憶手段２０に登録する（ステップＳ１３）。このとき、多機能携帯電話機ナンバーを回収端末ナンバーとして、「１」を、そして回収日時（タイマー２６による）を同時に登録する。そして、回収端末ナンバー「１」で作業者を特定し、この特定された作業者を回収作業者として、登録する（ステップＳ１４）。このステップＳ１４は、後に説明するように省略することができる。
この作業は、回収容器の全てについて行われる。
【００２５】
回収容器ごとの登録ごとに、多機能携帯電話機１０は、記憶した情報を自動的にサーバーＳに送信する（ステップＳ１５）。このとき、登録されている作業者を回収作業者として送信する。なお、当該多機能携帯電話機１０で、次の回収袋情報記憶ＩＣタグ３６を読み取ると、その情報（回収容器の種類およびタグナンバー）は、前回の回収容器の情報に上書きされる。
サーバーＳは、多機能携帯電話機１０から送られて来た情報を運搬車両ＩＤ：９０−０で他の情報を紐付けて記憶する（記憶した情報については、図４参照）とともに、回収容器の数を種別（回収袋、回収段ボール箱）ごとに計算して、記憶しておく。
【００２６】
この後、作業者は、多機能携帯電話機を操作してサーバーＳに情報の送信を指示する（同期）（ステップＳ１６）。このとき、多機能携帯電話機１０は、回収端末ナンバー：１をサーバーＳに送信する。
サーバーＳは、この指示を受けると、作業者の多機能携帯電話機１０に、回収容器の種別ごとの総数を送信し（ステップＳ１７）、多機能携帯電話機１０は、これを記憶しておく。
以上により、回収作業は完了する。
【００２７】
次に、回収作業を〇〇と△△の２人で行う場合について説明する。作業者〇〇は、ナンバー１の多機能携帯電話機を、作業者△△は、ナンバー２の多機能携帯電話機をそれぞれ所持しているものとする。回収容器は、回収袋が１０個、回収段ボール箱が１０個で、作業者〇〇が、回収袋３つを、そして回収段ボール箱７つを、作業者△△が回収袋７つを、そして回収段ボール箱３つを担当するものとする。他は、上記と同じである。
【００２８】
この作業では、各作業者は、先ず、自己の多機能携帯電話機に作業者〇〇および作業者△△の情報、ならびに運搬車両のＩＤを登録する。
以下は、図３のフローチャートとほぼ同様であるが、作業者〇〇は、回収袋３つおよび回収段ボール箱７つを回収し、その回収ごとにその情報がサーバーに送信される。一方、作業者△△は、回収袋７つおよび回収段ボール箱３つを回収し、その回収ごとにその情報がサーバーに送信される。
【００２９】
したがって、サーバーＳは、作業者〇〇の回収袋３つおよび回収段ボール箱７つならびに作業者△△の回収袋７つおよび回収段ボール箱３つを、種別ごとに加算して、回収袋が１０個、そして回収段ボール箱が１０個を得、それを記憶している。
【００３０】
サーバーＳは、この種別ごとの総数の記憶のほか、回収情報を図５のように記憶している。
【００３１】
この後、作業者〇〇、△△がサーバーＳに同期を指示すると、各作業者の多機能携帯電話機（端末ナンバー：１、２）に前記種別ごとの総数、および図５に示した回収データを送信し、各多機能携帯電話機は、これを記憶しておく。
以上で２人での回収作業を終了する。
なお、２人の作業者の登録が行われているかの判定は、多機能携帯電話機に作業者が２であることを登録しておき、前記判定を繰り返せばよい。ただし、１人のみの登録のし忘れはあまりないと考えられるので、１回の作業者の登録の有無の判定を行えば十分であることが多い。
３人以上の作業者での回収作業は、この２での回収作業に準じて行われる。
【００３２】
以上説明したように、本発明の多機能携帯電話機においては、読み込むべき情報を、順次確認しながら次の情報を読み込んで行くので、情報の読み込みの漏れがなく、必須の情報を正確にサーバーに送信することができる。
したがって、本発明の廃棄機密情報媒体回収システムにおいては、正確に廃棄機密情報媒体の回収を行うことができ、またこのサーバーに送信された情報に基づき、廃棄機密情報媒体のその後の作業、すなわち搬送作業、処理作業を正確に行うことができる。
【符号の説明】
【００３３】
１０  多機能携帯電話機
１２  中央演算回路
１４  入力手段
１６  主メモリ
１８  アプリケーション用記憶手段
２０  情報記憶手段
２２  送受信手段
２４  モニター
２６  タイマー
２８  ＩＣ情報読み取り手段
３０  作業者情報記憶ＩＣタグ
３２  運搬車両情報記憶ＩＣタグ
３４  回収依頼者情報ＩＣタグ
３６  回収袋情報記憶ＩＣタグ
３８  回収段ボール箱情報記憶ＩＣタグ
４０  回収その他容器情報記憶ＩＣタグ
【図１】
2017182518.tif 000003
【図２】
2017182518.tif 000004
【図３】
2017182518.tif 000005
【図４】
2017182518.tif 000006
【図５】
2017182518.tif 000007
【手続補正書】
【提出日】平成28年4月19日(2016.4.19)
【手続補正１】
【補正対象書類名】図面
【補正対象項目名】図２
【補正方法】変更
【補正の内容】
【図２】
2017182518.tif 000008